(57)【要約】      （修正有）【課題】犯罪や災害などの緊急時に警報音を間欠的に鳴動させる携帯型の緊急ブザーユニットを提供する。【解決手段】緊急ブザーは、始動スイッチ１４、長周期タイマー回路１１、ブザー発振回路１２、ブザー１３および接続ケーブルからなるブザーユニット１６と、電源として携帯型通信機器用のモバイルバッテリー１９とから構成されている。ブザーユニット１６とモバイルバッテリー１９とを一つのポーチ１７に収容して携帯に便利とすることが好ましい。これにより、災害／犯罪／事故発生時に、目視不能な被災者／被害者の所在を長時間大音響で間欠的に発信し続け救援を要請する緊急ブザーとなる。【選択図】図１
0003197512.tif 000002
【実用新案登録請求の範囲】
【請求項１】
ブザー、ブザー発振回路、長周期タイマー及び始動スイッチを有するブザーユニットと、モバイルバッテリーから構成され、間欠的に長時間の鳴動を繰り返す緊急ブザー。
【請求項２】
ブザーユニットとモバイルバッテリーが一つのポーチ内に収容されていることを特徴とする請求項１に記載の緊急ブザー。
【請求項３】
モバイルバッテリーが携帯型通信機器用の給電用補助蓄電池を共用することを特徴とする請求項１又は２に記載の緊急ブザー。
【請求項４】
ポーチが防水性であり、携帯しやすいことを特徴とする請求項１から３のいずれか１項に記載の緊急ブザー。
【考案の詳細な説明】
【技術分野】
【０００１】
本考案は、緊急時に警報音を発する携帯型の緊急ブザーに関する。
【背景技術】
【０００２】
防犯ブザーは、緊急時に引き紐を引くなどにより始動し、警報音を発して救助／応援を呼ぶものである。防災ブザーは、持ち主が災害時に第３者の視界内にいない場合に、自己位置を示す為に警報音を発する音響発信機器である。いずれも一旦始動すれば人為的に止めない限り、あるいは止められない状況下では、内蔵電池が消耗するまで大音響の警報音を発し続ける単機能機器であるため、内蔵する電池が急速に消耗し、犯罪／災害発生／混乱後の初動救援・捜索開始までの間に警報音が途絶する懸念がある。緊急事態発生までの間ブザーに長期間内蔵されていた電池の自然消耗による残容量も問題となる。
【０００３】
非常災害時に被災者の存在を長時間知らせ続けるブザーとして、警報音を間欠的に鳴動させて内蔵電池の消耗を遅らせることが好ましい（特許文献１）。間欠的に鳴動させれば、電池容量が同一であっても従来の一過性鳴動ブザーより作動時間を大幅に延長できる。しかし、このようにしても緊急時発生時点での内蔵電池の容量／残容量がその作動時間を左右する点には変わりがない。
【０００４】
携帯電話機本体に警報ブザーを組み込むことも提案されている（特許文献２）。しかし、これら携帯型の緊急警報ブザーが内蔵している小型の電源は、長時間ブザーを鳴らし続けるには不十分である。
【０００５】
一方、近年、携帯型通信機器（スマートフォン、iPad、タブレットPCなど）が急速に普及し、音楽、ゲーム、映画等の受信情報の大容量化、受信の長時間化が進んだ。このため携帯型通信機器の電力使用量が増大し、内蔵電池では容量が不足しかねない状況にある。そのため使用者は内蔵電池枯渇に備え、携帯型のモバイルバッテリー（補助蓄電池、モバイルチャージャーなどとも呼称される：特許文献３）を多少重くても携行する風潮にある。使用者は、通常このモバイルバッテリーを常時充電状態に保持している。
【先行技術文献】
【特許文献】
【０００６】
【特許文献１】登録実用新案第３１９６２４９号公報
【特許文献２】特開２００５−２２３６０４号公報
【特許文献３】特開２０１５−１１９７１号公報
【考案の概要】
【考案が解決しようとする課題】
【０００７】
従来の携帯型の防災／防犯ブザーは、内蔵された小型電池電源の電気容量と寿命が十分でなく、また残容量も不確定であることが問題点であった。本考案が解決しようとする課題は、緊急時に長時間にわたり警報音を発する携帯型の緊急ブザーを提供することである。
【課題を解決するための手段】
【０００８】
上記課題を解決するためになされた本考案に係る緊急ブザーは、ブザー、ブザー発振回路、長周期タイマー及び始動スイッチを有するブザーユニットと、モバイルバッテリーから構成され、間欠的に長時間の鳴動を繰り返すことを特徴とする。
【０００９】
モバイルバッテリーとしては、携帯型通信機器（スマートフォン、iPad、タブレットPCなど）で頻用される補助蓄電池（モバイルバッテリー）を援用するが、これはその使用者によって日常的にAC電源等により反復充電され、該通信機器と共に携行されているものである。モバイルバッテリーは、リチウムイオン電池であることが多い。
【００１０】
多くのモバイルバッテリーの出力電圧は一定（5V）であるが、電気容量は対応する携帯型通信機器の機材、用途に応じて広範囲（およそ2,000mAhから20,000mAhまで）の製品があり、それに応じて携帯性〔重量（およそ60gから550g）や容積〕も変わる。使用者は自己の携帯型通信機器の用途と、携帯性、使用頻度、経済性などに適したモバイルバッテリーを選択できる。  
【００１１】
本緊急ブザーは、全体が一つのポーチに収容されていることが好ましい。使用・携帯上便利だからである。ポーチ内部にブザーユニットを収容し、該ブザーユニットの電源としてモバイルバッテリーを用いる。本ポーチは、多くの使用者が常用するサイズの円筒型又は扁平矩形型の市販のモバイルバッテリーに大略適合する電池スペースを持たせている。また、あらかじめモバイルバッテリーを選定して組み込んだセットにすることもできる。
【００１２】
専用の電池を有する緊急ブザーは、日常的に鳴動させるものでないため、長期間の間に自然放電し、いざというときには電池容量が殆ど残っていないという場合もある。このモバイルバッテリーを緊急ブザーの電源として携帯型通信機器と共有とすれば、モバイルバッテリーは通常常に充電状態で準備・携帯されるので電気容量、残容量ともに懸念は減って、緊急時のブザーの長時間間欠鳴動は保証されることになる。
【００１３】
本緊急ブザーは、緊急時の始動に有効なように、ズボンのベルトや、ショルダーバッグ、ナップザック、ランドセルなどの肩紐、ハンドバッグ、トートバッグなどの手提げベルトに、ポーチに固定した巻き付けバンドで装着でき、外部からの単純な操作で始動スイッチが入るように設計されていることが好ましい。
本緊急ブザー用のポーチとしては、耐水性かつ防塵性のものが好ましい。その一定位置を押さえることで始動スイッチが入り、間欠的に警報音を鳴動させる。鳴動を止めるには始動スイッチを再度押す操作が好適である。始動スイッチは、対電極を隔てている絶縁物を除くことで電極間を通電させる方法としてもよい。絶縁棒に結んだ紐を引き抜く方式の警報ブザーは、この種の始動スイッチを用いている。
【００１４】
本緊急ブザーでは、警報音は始動スイッチが押された直後から２−３分間鳴動し、２０−３０分間休止して後２度目の２−３分間の鳴動を始め、以降間欠的にON-OFFサイクルを繰り返すよう設計することが好ましい。
【００１５】
ここで提案する緊急ブザーは、巨大地震や噴火、雪崩、洪水、津波などに遭遇し、倒壊家屋や火山灰、崩落雪、がれき、流亡土砂などで隠蔽された被災者が、自己の所在位置をできるだけ長時間、反復して示し続けるための防災ブザーである。災害時に被害者を視認できなくても、捜索者・救援者が特別の装備を保持していなくても、ブザー“音源”を探すことは容易にできる。
【００１６】
本緊急ブザーは、個人が事故や犯罪等に巻き込まれた時、緊急の音響信号を発する防犯ブザーとしても機能する。本緊急ブザーにはLED照明を付帯させ、ブザーの鳴動と同期させることも、スイッチによって任意に点灯させることもできる。
【考案の効果】
【００１７】
本緊急ブザーは、世界各地の地震、噴火、雪崩、台風などの自然災害の可能性が高い地域や、誘拐や強盗／殺人など世情の不安定な地域などで護身機器として有効である。
【００１８】
携帯型通信機器の使用者にとって、常時携帯するモバイルバッテリーをバッグの底に転がしておく代わりに、緊急ブザーと共にポーチに入れて肩紐などにぶら下げて携帯し、携帯型通信機器の予備電源として活用すると共に、万一の事故、災害等に備えることができる。
【００１９】
モバイルバッテリーは通常常に充電状態が保持されているから、緊急ブザーの電源としての電気容量、残容量、充電状態の維持などの問題が一挙に解決できる。
【図面の簡単な説明】
【００２０】
【図１】本考案の緊急ブザーの概略を示す構成図
【図２】本考案の緊急ブザーの外見図
【考案を実施するための形態】
【００２１】
本考案の実施例を以下に示すが、本考案は以下の実施例に限定されるわけではない。本考案の緊急ブザーは、小型のポーチの内部に、ブザーユニットとモバイルバッテリーを収容する方式とすることが好ましい。ブザーユニットとモバイルバッテリーは、相応する接続ケーブルで接続されて緊急ブザーが構築される。
【００２２】
ブザーユニットは、始動スイッチ、長周期タイマー、ブザー発振回路、ブザーから成るブザーユニット本体と接続ケーブルからなる。
モバイルバッテリーには各種の市販品をそのまま用いうる。受電／給電スイッチがあるもの、充電レベルが見易いもの、またUSB A型メス給電ポートが２個あるもの等の付属機能があることが好ましいが、本考案として必須ではない。
【００２３】
モバイルバッテリーからブザーユニットへの通電は、モバイルバッテリーが携帯型通信機器を充電中にも行われていることが好ましい。そのための接続ケーブルには、ブザーユニットにUSB A型メス給電ポートを装着した場合、USB A型メス給電ポートを２個持つモバイルバッテリーでは1ポートを用いて、両端にUSB A型オスコネクターを持つ１本線の接続ケーブルで常時通電でき、給電ポート１個のモバイルバッテリーでは、USB A型オスコネクターから分岐した２本のケーブルからなるY字接続ケーブルを用いることでケーブルの抜き差し無しに常時通電できる。給電先のコネクターは対応する携帯型通信機器のポートに適合する物を選択する。
【００２４】
ポーチの上部にモバイルバッテリーの出し入れや受電／給電とその時のケーブル操作のために開閉できる、ある程度の防水が可能な開閉口を設ける。
ブザーとブザー駆動回路、始動スイッチは市販品を用い、長周期タイマー回路は市販のパーツで、ポーチは市販のラミネート布地で自作することもできる。モバイルバッテリーは市販品を用いることができる。
【実施例】
【００２５】
試作した緊急ブザーの概略を示す構成図を図１に示す。
本試作品では、パワーオントリガー型の長周期タイマー１１、ブザー発振回路１２、圧電ブザー１３、始動スイッチ１４から成るブザーユニット１６が、保護、防塵、防水のための耐水布製ポーチ１７内に固定されている。モバイルバッテリー１９とブザーユニットはポート１５を通して接続ケーブルで接続されるが、図を簡単にするため接続ケーブルは図示していない。ポーチ１７は、電池の受電、給電の際などに開閉する開口部１８を持っている。またポーチ１７は、手提げベルトなどに固定するための面ファスナーを備えた巻き付けバンド２０を備えている。
【００２６】
試作した緊急ブザーの外見の概略を図２に示す。構造をわかりやすくするため、内部を透視した図としているが、ポーチは透明にすべきという意味ではない。試作したポーチの大略の大きさは幅４cm、奥行き３cm、高さ最大１５cmで、上部に被せ蓋を持つ開口部１８とブザーユニット側下部にブザーの放音口２１、背部に携帯用の巻き付けバンド２０が付いていて、バッテリーを除いた重さは約60gである。
【００２７】
回路の構成パーツはいずれも市販品を用いた。始動スイッチはオルタネート型のプッシュスイッチを用いた。モバイルバッテリーとして、市販のリチウムイオン蓄電池を用いた。
【００２８】
本緊急ブザーは、背面に固定してあるバンド２０によって、ズボンのベルトに挟んだり、ランドセル、ナップザック、ショルダーバッグの肩紐やハンドバッグ、トートバッグなどの手提げベルトに巻き付けて装着し携帯することができる。
【符号の説明】
【００２９】
１１  長周期タイマー
１２  ブザー駆動回路
１３  ブザー
１４  始動スイッチ
１５  接続ケーブルポート
１６  ブザーユニット
１７  ポーチ（耐水布地製）
１８  ポーチ開口部（面ファスナーで固定できる蓋が付いている）
１９  モバイルバッテリー
２０  巻き付けバンド
２１  放音口
【図１】
0003197512.tif 000003
【図２】
0003197512.tif 000004